(57)【要約】【課題】東洋医学と西洋医学はともに確固たる医療技術でありながら、現状では西洋医学に偏った治療が行われているため、生活習慣病の治療においては有効とされている東洋医学による治療の普及が遅れている。一方で、高齢化社会が進行して患者層の８割がプライマリケア対象とされる軽症患者層が総合病院に集中して本来の病院機能が低下するという課題が懸念されている。また、地方における医療格差や介護施設格差も課題となっている。【解決手段】社会的な医療システムの根本課題を、社会的に普及したインターネットと携帯情報端末と東洋医学の理論を反映させたデーターベース型情報配信サービスを組み合わせて統一的に健康情報を収集し、かつ提供することにより、東洋医学を一般に浸透させて家庭の医学を高度化する。その結果、在宅医療の増加と、患者の集中来院を分散させるなどの機能を持つ新しい医療システムを実現する。【選択図】図４
2016018224.tif 000002
【特許請求の範囲】
【請求項１】
東洋医学の知識を記録したデーターベースと、そのデーターベースと東洋医学の論理から導き出される治療方法を推論するコンピューターからなる情報処理装置、およびその情報処理装置とコンピューターネットワークで接続でき、個人の健康情報の収集と数値化とそれに基づく医療情報の提供を行う情報処理装置およびその提供手法ならびにこれらの情報処理システム。
【請求項２】
前記装置において、東洋医学の医師が目視により観察する画像情報をカメラにより画像情報にできる機能を具備した電子情報装置であり、撮影した人の舌の画像および顔の画像を数値化することにより東洋医学の診断における目視による判断の情報に置換する機能を持つ装置および手法。
【請求項３】
請求項１および請求項２に記載の装置において、東洋医学の医師が触診により指から得る脈拍を電気的あるいは光学的センサーで電気信号に変換した脈拍情報を数値化することにより東洋医学の診断における脈診による判断の情報に置換する機能を持つ装置および手法。
【請求項４】
請求項１から請求項３に記載の装置において、東洋医学による治療を行う医師が問診により患者と交わす症状を現す擬態語や擬音語を含む言葉を数値化することにより東洋医学の診断における問診による判断の情報に置換する機能を持つ装置および手法。
【請求項５】
請求項１から請求項４に記載の装置において、電子情報端末機器を用いて個人の健康状態に関する情報を入力すると前記の装置から将来の健康状態の予測情報を提供する方法。
【請求項６】
請求項１から請求項５に記載の装置および方法において、健康状態の情報と同時に料理の献立情報や家庭の配置薬の情報や栄養補助食品の情報や介護施設や医療機関への受診アドバイスおよび生活習慣病を予防する情報を提供するサービス方法。
【請求項７】
請求項６に記載のサービス方法において、料理や食材を宅配するサービスや、配置薬を宅配するサービスを提供する方法。
【請求項８】
請求項１から請求項６に記載の装置において、行政機関が前記装置を活用することにより介護支援サービスおよび医療関連サービス情報を提供する方法。
【発明の詳細な説明】
【技術分野】
【０００１】
本発明は、カメラ機能および情報表示機能を有する携帯型端末機器やウエアラブルコンピューターなど人の周辺で利用される電子機器、および、世界規模で社会に普及したインターネット環境を活用することにより、人の健康状態に関するあらゆる情報を東洋医学治療の理論を反映させたプログラムにより統一的基準で収集し、蓄積し、分析し、提供するというデーターベース型情報処理サービス方法に関する。
【背景技術】
【０００２】
人は健康状態を把握して維持するために種々の技術に基づく装置や薬品そして情報を日常的に利用している。体温計、血圧計、体脂肪計、体重計、など多くの一般家庭向けの電子医療機器が提供されている。また、各種ビタミン剤などに代表される補助薬品もしくは食品も多数市販されている。さらに、後述するインターネットを介した情報配信サービスにおいては、莫大な量の一般向けの健康管理情報が提供されている。
【０００３】
医療関連検査装置において、人の身体の状態を知る手段として、例えば骨折の状態の把握にはX線技術を利用した撮影が行われる。その他、核磁気共鳴画像法（MRI）は、人の身体の大部分が水で構成されていることを利用して、水分子を構成する水素原子からの核磁気共鳴（NMR）信号を検出することにより、人の脳の断層画像を非破壊で提供する装置が医療現場で利用されている。その他にも科学技術の進歩や新しい物理現象の発見と供に人の身体を調べる医療関連装置が次々に開発されている。
【０００４】
また、医術という大きな視点で分類すると、現代医学（西洋医学）と伝統医学（東洋医学、漢方）に分けることができる。そして、西洋医学は近代の約150年間におよぶ科学技術の発展と密接に関係していたため、西洋医学では多くの検査装置が使われる。他方、東洋医学はその医療技術としての歴史は数千年とも言われているが、現代の電子装置など存在しないころに確立された医療技術体系であるため、その中に検査装置という概念は存在しない。
【０００５】
東洋医学における医療技術では、四診（ししん）と呼ばれる診察の基本があり、患者の観察、患者との対話、患者の身体に触れることによる触診や脈診が行われ、総合的に病気の診断と治療が施される。熟練した東洋医学の医師ならば、基本的に西洋医学治療で一般的に目にする検査装置からの数値や波形を診断に使うことはない。
【０００６】
東洋医学には、いわゆる民間療法と呼ばれる治療技術だけを集約した技術体系とは異なり、西洋医学にもひけを取らない理論的診断体系が存在しているが、その生理観や病理観が西洋医学とは根本的に異なることから偏見や軽視により、東洋医学による治療は怪しげな医療技術として誤解されている場合もある。
【０００７】
光ファイバーの敷設が進み、日本では山間部の小さな集落まで光通信技術によるインターネットが普及している。インターネットを通じて大量に、かつ高速に情報を伝送できる技術が整ったため、電話回線網では不可能であった高画質の映像情報や音楽情報などをどこでも簡単に閲覧や保存できる環境が構築されている。この機能を利用した医師不足地域における遠隔医療サービスも始まっている。
【０００８】
さらに、インターネット回線の利用において、いわゆるテレビ映像を視聴するだけでなく、映像に対する反応を返信することができる双方向情報通信も実現されており、情報管理者側が一方的に情報を配信するだけでなく、インターネット端末の利用者との間で情報交換ができる技術的環境は既に整っている。
【先行技術文献】
【非特許文献】
【０００９】
【非特許文献１】山田光胤、代田文彦  著、「東洋医学」、株式会社学習研究社、２００３年６月１８日発行、ISBN4-05-104872-1
【発明の概要】
【発明が解決しようとする課題】
【００１０】
かつては「成人病」と呼ばれ、現在では「生活習慣病」と呼ばれる病気、脳卒中、ガン、心臓病などが増えている。成人病の発症には生活習慣が深く関係していることがしだいに明らかになり、現在では生活習慣病という概念が定着している。生活習慣病の中で、社会的に普及している西洋医学では治せない病気も東洋医学で治せる症例もでてきている。ところが、東洋医学は社会的な認知度が低いために、現状では患者が治療の選択肢として自由に、かつ普通に東洋医学による治療方法を選ぶことは容易ではない。
【００１１】
現状の医療システムにおいては、西洋医学的手法や西洋医学を支援するために開発された医療機器による病気治療が社会通念として支配的である。その遠因は、明治政府が西洋の概念や技術の普及を優先し、日本の伝統的な医療技術である漢方を民間治療として排除したことにあるとの指摘もある。また、科学技術の発達と西洋医学の発達が密接に関与したことも重なって、医療機器産業としても、医療技術としても、社会的には西洋医学が中心の医療システムとなっている。
【００１２】
一般的な医療機関では、医療関連の電子機器が発達したために、多くの数値化された検査データーが人の身体の状態を判断する基準とみなされるようになっている。この診断手法では、医学の専門分野が細分化された事もあり、検査装置が計測した数値がないと病気の診断が出来ないという総合判断のできない医師もいると言われ、社会的な課題となっている。
【００１３】
また、最近では、東洋医学が少しずつ社会的に普及してきたこともあり、西洋医学中心の病院から漢方薬が処方されることが増えている。ただ、それを処方した医師が、みな東洋医学に精通したうえで漢方薬を処方しているかどうか疑問がある。東洋医学の修得には多大な時間が必要であり、国立系医学部でも東洋医学の学習に割かれている時間は少ない。東洋医学による治療では、西洋医学のように電子機器の支援がないだけに医師としての能力が治療に大きく反映されてしまう。これは東洋医学そのものの課題でもあり、我が国の医師教育制度の課題でもある。
【００１４】
我が国の患者の分布によれば、約８００万人の団塊の世代と呼ばれるまとまりのある集団が高齢化を迎えており、後期高齢者として分類されるまでに残すところ約10年である。そして、統計的に患者の約8割はプライマリケア対象（第1次医療）であるが、この患者層が総合病院に殺到することにより病院機能が低下して総合病院としての重要な役割である第2次医療（高度医療）や第3次医療（最先端医療）を必要とするハイリスク患者の発見が遅れるなどの課題も懸念されている。
【００１５】
医療機関側もこうした課題に対して、第1次医療の患者は個人開業医や家庭医で対処するように啓蒙活動を開始しているが十分な効果が現れているとは言えない。多くの患者は、多数の検査装置や設備を持つ総合病院に先ず診察を求める傾向は変わらない。特に高齢者は、生じている症状が軽症なのか重症なのか当人も周囲の家族も判断できないため、重大な病気を見落とす不安からか総合病院へ最初に向かう事が多く、結局のところ総合病院に高齢者が集中してしまうという課題が心配されている。
【００１６】
また、医局制度が変わったために、若い医師は活動の場を求めて都市に集中するという医師数が都市部に偏在するという課題が指摘されている。また、第1次医療には、在宅で治療する家庭医の重要性が見直されているが、我が国にはまだ専門医としての家庭医の数はきわめて少ないのが現状である。地方における医療環境では、普通の医師の人数も、いわんや特別な専門性を有する家庭医の人数も、地方と都市の格差を埋める抜本的な答えは見つかっていない。
【００１７】
東洋医学による治療を受ける課題の一つに薬草の高騰が挙げられる。我が国で消費される東洋医学による治療で使用される薬、いわゆる漢方薬を製造するために必要な薬草はほとんど中国からの輸入で賄われている。東洋医学による治療が見直され、輸入量が増えること並行して価格も高騰している。これは患者にとって大きな負担であり、東洋医学を普及させる障害となっている。
【課題を解決するための手段】
【００１８】
東洋医学は歴史的な背景もあって一般的な民間治療と素人では明確に区別出来ないために、偏見や誤解により社会的普及が遅れている。そこで、いまや社会的インフラとなったインターネットとそれに接続できる種々の電子機器（携帯端末、パソコン、テレビなど）およびソフトウエアを活用して、西洋医学と東洋医学はともに確固たる医療技術であり、対象とする病気により適切に使い分けることこそが患者にとって、さらに、我が国の医療システムの課題解決につながることを以下の複数の解決手段で示す。
【００１９】
現在の医療システムという社会全体に関わるシステムの課題の解決のために、蓄積されている東洋医学の知識体系を基礎にしたプログラムで構成される健康状態予測診断ソフトウエアシステムを「未病サーバー」と呼ぶことにする。この「未病」とは、東洋医学の中で使われる言葉に由来しているが、この特許の説明では、身体の健康状態において、いろいろな不調の症状は意識されているが、東洋医学の判断では病名を定義できるほどには病気が発症していないという身体の状態を示す言葉とする。
【００２０】
東洋医学では、西洋医学のような検査機器が使われることはなく、患者の生活習慣の情報、四診（望診、聞診、問診、接診）と呼ばれる診察方法から得られる情報を総合的に判断して診断が行われる。望診（ぼうしん）とは、患者の身体を観察することであり、全身の様子や顔色、舌の色などを医師が目視により観測する。聞診（ぶんしん）とは、医師の耳が捉える患者の様子であり、患者の息づかい、話し方、口臭なども観測する。問診（もんしん）とは、患者が記述した生活習慣などの内容をもとに患者の話を聞くことである。過去の病歴や、生活状況、細かい症状、嗜好などを聞き出す。たとえば、20年以上前に治療した骨折なども重要な問診情報として記録される。接診（せっしん）とは、医師が患者の患部や身体に直接手を触れることを意味し、手首からは脈をとる。この脈は、西洋医学のように1分間に生じる脈拍数を計測しているのではなく、脈の圧力変化のイメージを3本の指で捉えている。医師は四診の結果を東洋医学の用語や擬音を用いて文字情報として記録する。
【００２１】
医師は四診で得られた患者の情報と、体系的に整理された過去の東洋医学治療の記録と比較検討および分析することにより、診断を下している。熟練した東洋医学の医師の場合には、この診断はほとんど瞬間的に行われる。患者が医師に接し、診断に至るまでの過程において、医師の目が捉える舌の色の情報や、指が捉える脈の情報、そして言葉によるやり取りが基本であり、そこには西洋医学のような検査装置の数値データーなどが介在することはない。
【００２２】
また、東洋医学では、病気の本質を見極めるという考え方が基本にあり、その病気を引き起こしている原因を追及する。上記の四診によって得られる情報から、病気の種類の分類が先ず行われる。このプロセスでは、「八綱弁証」と呼ばれる東洋医学独特の分類法が活用される。例えば、発熱という症状に対して、二つの性質を考える．一つは、熱を上昇させる原因が活発であるためと考える。もう一つは、熱を下げる機能が低下したために、相対的に発熱していると考える。つまり、平衡状態からバランスが崩れる要因は一つではなく、熱の場合では少なくとも、二つの要因が考えられ、それぞれに対する処置は全く異なると考えている。この分類過程で使われる情報は上記の四診であり、すなわち、東洋医学の用語で体系化された文字情報である。
【００２３】
脈診の内容は、例えば「心脈」と分類される脈は「玉が次から次へと不断に連続して転がり流れるような脈」と定義されており、「脾脈」では、「ゆったりとしておだやかでかつ軽快で規則正しく、あたかも鶏の歩みを運ぶ脈」などと記されている。舌の色を観察する舌診では、観測から得た情報を元にして、「白くて、ねばねばしている」、「黄色で、ねばねばしている」、「灰色で薄くなめらか」などと記録する。また、痛みに関する表現でも、「きりきり痛む」「ずきずき痛む」「ぴりぴり痛む」など、擬音語や擬態語を使う表現が多い。
【００２４】
未病サーバーシステムとは、このような東洋医学における標準的な診断の根底に流れている言葉や文字による記録体系で構築された診断アルゴリズムをソフトウエアで置き換えたものである。後述するように、カメラ付き携帯端末や、家庭用のテレビに付随したカメラから未病サーバーに送られる患者の舌の画像情報や顔色の情報は医師が目視で行う観察から得る情報に対応させたものである。また、擬態語や擬音語を含む、音声による症状の表現や文字入力による症状の表現も、医師の聞診と同様の東洋医学的診断情報として扱われる。
【００２５】
未病サーバーシステムを構築することにより、西洋医学で頻繁に使用される検査機器を用いることなく、患者の健康状態を東洋医学に基づく処理でデーター化することが可能になる。論理的に体系化されている東洋医学に準拠するデーターであることから、この患者個人の今後の健康状態を予測することも可能となる。この予測できるという特長が、生活習慣病に起因する種々の課題を解決する重要な糸口となる。
【００２６】
個人の健康状態を予測するデーターがサーバー上に存在することにより、病気として発症してしまう前の状態を維持しながら日常生活に支障が出ないように、食事のレシピや、生活習慣上の行動へのアドバイス、栄養補助食品のアドバイス、あるいは、最終的には医療機関への受診を勧めるアドバイスなど細かい情報を提供することが可能となる。
【００２７】
未病サーバーシステムが提供する情報の確かさや個人の健康状態予測の確度は、データー処理の母集団の数に依存する。東洋医学の医療技術体系が創られた頃に蓄積され記録されて現代まで受け継がれている莫大な情報（最近の言葉を適用すれば東洋医学ビッグデーター）が、現在我々が活用できるデーターの母集団となる。食生活など生活習慣が大きく変化した現代における東洋医学ビッグデーターと過去のそれとは差異が生じていると考えられる。
【００２８】
未病サーバーシステムを構築する時の課題の一つは、この母集団の情報の更新である。幸いにも現代にはインターネット環境とカメラ付き携帯端末やウエアラブルコンピューターが普及しており、この情報ネットワーク環境を活用することにより、多くの個人からの舌の色や顔色、嗜好品、などの聞診、問診情報を得ることができる。健康状態や薬膳料理のレシピを提供すると同時に、母集団に必要なデーターを収集するソフトウエアを、未病サーバーを利用する個人や事業者に配布することにより、数千年かけて構築された従来の母集団を数年で更新できるシステムとなる。
【００２９】
未病サーバーシステムを、医学部において学生が東洋医学を学ぶための訓練装置として利用すれば、種々の症例をパソコン上で診断できる仮想患者シミュレーターとなる。さらに、病院において利用すれば、西洋医学における検査機器と同様に、東洋医学診断を支援することが可能となり、西洋医学の医師でも漢方薬を処方することが可能となる。
【発明の効果】
【００３０】
本発明は、数千年かけて構築された東洋医学の知識を、インターネットと情報端末という最新技術を活用することにより、現代によみがえらせ、現在の医療システムの弱点を補完できるような健康状態予測診断ソフトウエアシステム（未病サーバーシステム）であり、既に社会的な負担となっている医療費を大きく削減できる効果を期待できる。
【００３１】
未病サーバーシステムにより、カメラ付き携帯端末から、インターネットを通じて個人の舌の色や顔色、および、「きりきり」、「じくじく」など擬態語や擬音語を含む日常的な体調に関する情報を登録することにより、個人の健康管理を行うことができる。同時に、この登録された情報は、未病サーバーシステムにおける東洋医学判断や健康状態予測の基礎となる統計データーの母集団に貢献するため、登録数が増大すればするほど、各個人の健康状態予測の確度が向上する効果をもたらす。
【００３２】
未病サーバーシステムにアクセスする人が増えれば、西洋医学では軽症患者が総合病院へ殺到するという課題を緩和することができる。同時に、東洋医学では対処できない先端医療を必要とするハイリスク患者を早期に発見することも可能になる。医療機関や医師の数が少ない市区町村を管轄する行政がこの未病サーバーシステムによる住民の健康状態の予想診断機能を活用すれば、問題となっている都市部と地方の医療格差を緩和することができる。さらに、過疎となり住民数が減少したため介護施設が閉鎖されているような地域では、在宅介護を支援する手段として医師や看護師、介護士の確保や手配に未病サーバーシステムの活用が考えられる。
【００３３】
介護施設や行政によって未病サーバーシステムの活用が普及すると、東洋医学に対する社会的ニーズが高まり、農家が漢方薬に使う薬草の栽培に着手する。既に一部の地方では、山間地の休耕地を利用した薬草栽培を初めている農家もある。未病サーバーシステムが、漢方薬のニーズ情報を提供すれば栽培する薬草の種類や量を把握することができ、生産性の高い薬草栽培農業を展開できる。さらに、未病サーバーシステムは予測診断が可能である。つまり、将来必要となる薬草の栽培量を予測することが容易となり、薬草栽培における生産計画の指針をも提供することが可能となる。その結果、国産の薬草が増えることにより、薬草の輸入依存度が減り、漢方薬のコストが下がり、患者や行政の医療費を削減することも可能となる。
【００３４】
本発明により、東洋医学に対する偏見や誤解が減り、東洋医学による治療を求める社会的ニーズが増えることにより、東洋医学治療の保険適用も認められ、患者にとって最も適した治療を自由に選択できるような医療社会の礎となる。
【図面の簡単な説明】
【００３５】
【図１】西洋医学と東洋医学の健康状態の捉え方の違いを示す図。
【図２】未病サーバーシステムの基本機能を説明する図。
【図３】未病サーバーシステムの処理機能の段階的なレベルアップを説明する図。
【図４】未病サーバーサービスの全体像を説明する図。
【図５】コンビニエンスストアと未病サーバーとの関わり方を説明する図。
【図６】健康食品やサプリメント販売会社と未病サーバーとの関わり方を説明する図。
【図７】健康相談情報を配信するサイトと未病サーバーとの関わり方を説明する図。
【図８】介護関連の情報配信サイトと未病サーバーとの関わり方を説明する図。
【図９】食材の宅配会社のサイトと未病サーバーとの関わり方を説明する図。
【図１０】配置薬会社の情報配信サイトと未病サーバーとの関わり方を説明する図。
【図１１】行政と未病サーバーとの関わり方を説明する図。
【図１２】舌や頬の色を撮影する際に使用する台紙を説明する図。
【符号の説明】
【００３６】
１    未病サーバー、
２    入出力ポート、
３    データー入出力ユニット、
４    データーストレージ、
５    分類アルゴリズム、
６    データーバス、
７    症状の選択過程、
８    診断結果、
９    未病サーバーの各段階、
１０    入力情報、
１１    出力情報、
１２    サービス分野、
１３    インターネット、
１４    電子機器群、
１５    未病サーバーシステム、
１６    健康管理という市場ニーズ、
１７    社会問題、
１８    医療現場における課題、
１９    介護関連ニーズ、
２０    薬草の課題、
２１    在宅ヘルスケアのニーズ、
２２    コンビニエンスストア運営サイト、
２３    今日の献立の画面、
２４    今日の体調情報画面、
２５    薬膳料理の献立画面、
２６    サプリメント販売会社サイト、
２７    サプリメント情報画面、
２８    最近の体調を管理する画面、
２９    サプリメントの指導画面、
３０    体調の分析／予測画面、
３１    健康相談サイト、
３２    症状の選択、
３３    オノマトペ情報入力、
３４    今日の体調解説、
３５    同一症状の推移の紹介、
３６    灸治療のツボ指導、
３７    介護ヘルパー／介護施設サイト、
３８    症状の選択、
３９    症状のオノマトペ情報入力、
４０    今日の体調解説、
４１    今日の注意事項、
４２    医師との相談レベル指摘、
４３    介護支援ロボット、
４４    食材の宅配会社サイト、
４５    食材の選択、
４６    体調情報入力、
４７    今日の体調の解説、
４８    今日の薬膳献立、
４９    配送車、
５０    在宅高齢者の体調データー収集、
５１    配置薬会社のサイト、
５２    配置薬の選択、
５３    体調情報入力、
５４    薬の説明、
５５    今日の体調情報、
５６    緊急時の適切な薬の宅配、
５７    撮影の際に使用する台紙、
５８    顔、
５９    舌の色、
６０    頬の色、
６１    利用者情報、
６２    隙間、
【発明を実施するための形態】
【００３７】
添付図を参照しながら本発明の詳細を説明する。本発明は、東洋医学の知識体系を基礎にしたプログラムで構成される健康状態予測診断ソフトウエアシステムである「未病サーバーシステム」とその利用形態の例で構成される。
なお、各図は、この発明が理解できる程度に各構成要素の形状、大きさ及びそれらの位置関係を概略的に示してあるに過ぎず、この発明を図示例に限定するものではない。
【００３８】
本発明において、東洋医学による知識体系を基本とする理由は、人の健康状態の把握において西洋医学のような電子制御機器、たとえば、体重計、血圧計、体脂肪計、心電図計などの検査機器から得られる情報を基本的に必要とせず、医師の肉眼による目視情報や触診による指から得られる脈拍情報、および、言葉や会話による言葉の情報をよりどころにして総合的な医療診断を行うことができるからである。
【００３９】
未病サーバーシステムの利用形態の説明に先立ち、本発明がもたらすサービスの根幹となる健康状態に関する分類の説明を図1で行う。西洋医学と東洋医学の健康状態の捉え方の違いを図1に示す。西洋医学においては、健康状態の捉え方は、健康か病気かのどちらかの状態しか無い。しかも多くの場合、検査数値の範囲が西洋医学の経験的データから決められており、その数値が正常値か異常値かで判断されることが多い。そして、その頻度分布（人口度数）は図1（１）に示したとおり正常値つまり健康な人口が大多数を占めるようになっている。
【００４０】
これはある意味、我が国の健康保険制度を支えることが出来る仕組みでもある。つまり大多数の健康な人が少数の病気の人達を支える事ができるのは、図１（１）に示す人口度数分布があるからであり、健康保険が適応されるか否かという2値化も健康か病気かの2値化があるからである。しかし、現在、そしてこれからの将来、高齢社会が進行すると図1（１）の度数分布が、健康な人口度数が病気の人口度数を大きく上回るという関係を満たさないようになってくると健康保険制度の崩壊につながる懸念がある。
【００４１】
もちろん西洋医学や現在の健康保険制度は今まで、人々に多大な恩恵を与えた。しかし、一方でマイナスの面も多く存在する。その一因は図1（１）に示すような健康状態の捉え方があるからである。そこで本特許では、このマイナス面を補うために、図１（２）に示すような東洋医学の健康状態の捉え方を基礎にしてビジネスとして成立するインターネットサービスのモデルを提供する。東洋医学の健康状態の捉え方は、健康と病気の中間的な非健康状態を設けている。この非健康状態を「未病」状態と定義して用いることにする。
【００４２】
人の健康状態と非健康状態は常に変化していて、東洋医学におけるその変化は連続的なものであり、西洋医学の２値的な捉え方ではない。図1（２）における横軸は東洋医学における五臓六腑の機能のバランスである。未病状態は、このバランスが崩れるほど深刻化する（健康状態から離れてしまう）。このとき人口度数分布は、単調に減少する。図1（２）では最も単純に直線で表現しているが、図1（１）のようなピークを持たないという意味であり、曲線であっても良い。
【００４３】
そして病気という状態は、東洋医学では、未病状態において具体的に明確な症状が出た時としている。つまり、ある五臓六腑の機能バランスにおいては病気と未病の２つの状態が存在する。この東洋医学の病気という状態と西洋医学の病気は、当然その集合が重なる部分も多くある。
【００４４】
本発明が提供するサービスモデルは、携帯端末機器に備わっているマイク、カメラ、および加速度計などのセンサーを駆使して、この五臓六腑の機能バランスを探査して、その体調に関わる臓器の機能バランスの差異から導き出される健康状態に対する対処方法を利用者に情報提供することである。利用者はその情報に添うことにより臓器の機能バランスをより健康な状態へと近づけていく。この過程の中で、対処方法については、詳細は後述するが、運動奨励や食材の購入などさまざまなものが想定されており、これらを担うのは介護施設であったり、宅配会社であったり、農家であったり、健康食品供給会社であったり、さらには行政である。
【００４５】
本発明が提供するサービスモデルは、未病サーバーシステムを利用しようとするとき、低価格あるいは無料で利用者登録を行えるようにしておくことで、先ず、利用者の健康状態維持に必要な対処方法で何か物品を購入するか、何らかの情報サービスを受けるとき、その提供業者や行政などから健康情報に関する付加価値料あるいは単純に紹介料として応分の対価を徴収する課金システムを有している。
【００４６】
これを既存のインターネット技術と物流ネットを用いて実現する。つまり、本発明が提供するサービスモデルでは、未病サーバーシステムは利用者へは健康維持のための情報というサービスを提供し、業者や行政に対しては紹介というサービスを提供し、そしてそれぞれの対価として利用料を徴収する。
【００４７】
さらに上記のサービス提供過程で蓄積された利用者からの健康状態に関するビッグデータは、地域の健康状態の分布を容易につかむことが可能となり、特に地方行政にとっては非常に有益なデータとなる。よって、本発明はこのビックデータの使用料を徴収する形で行政にビックデータを提供する。
【００４８】
本発明による情報サービスモデルが実現すれば、医療機関の少ない地方でもネットワーク環境とテレビや携帯端末さえあれば、東洋医学に基づく医療サービスを受けることが可能となり、地方での生活をよりよいものに変えていくことが可能である。さらには、医療関連機関に支払われていた多くの国家予算は、医療関連機関以外へ分散することになり、国全体の医療費を削減出来るだけでなく、医療機関以外の資金の分散は産業活性化の一助となる。
【００４９】
図２に本発明による未病サーバーシステムの基本機能を説明する。未病サーバー１には、インターネットなど外部から送られるデーターを取り入れたり、逆に外部の機器にデーターを送り出したりする入出力ポート２、データーの種類に応じて入力か出力かを分類するデーター入出力ユニット３、種々のデーターを蓄積するデーターストレージ４、およびデーターストレージに記録されている情報から東洋医学的な診断過程により、人の健康状態の予測診断を実施する分類アルゴリズム５で構成される。
【００５０】
データーストレージ内の症状の記録は、データーバス６を通じて分類アルゴリズム５における症状の選択過程７に送られて過去に記録されている同様の症状と比較され、予想される大まかな選択が行われる。その選択結果を基にまた次の比較と選択という過程を繰り返し実行することにより症状から導かれる診断結果８を得る。
【００５１】
図３により、未病サーバーシステムの処理機能の段階的なレベルアップを説明する。未病サーバーは既に教科書や古文書などに記載されている東洋医学診断の文字情報を単に蓄積しただけのいわゆるネットサーバーではない。インターネットから得られる個人の体調に関する種々の情報や、インターネットを通じて各種の電子機器により発信する情報によって創り出される社会的な医療情報ループによって、未病サーバーの処理機能は段階的に進化する。
【００５２】
図３に示すように、未病サーバーシステムの各段階９の中の第1段階レベルでは、教科書や過去の記録を記憶したデーターストレージに、外部から新規に舌の色や、顔色、生活習慣の記述などの入力情報１０が携帯端末やインターネット接続端末を通して入り始めている段階である。この段階では、過去の記録にある情報と舌の色の情報の比較と分類から演繹的に導いた出力情報１１を提供する。この情報提供のあり方は手相占いとほとんど変わらないが、この段階では、出来るだけ多くの人から新規に舌や顔色の情報を得ることにより、いちはやく東洋医学診断データーの母集団の数を増やすことが目的である。
【００５３】
介護施設などに設置される介護支援ロボットから得られる、患者の舌の色や顔色や食習慣などの情報が蓄積され、さらに、介護現場の介護士などから収集された患者の痛みの表現で使われる擬音語や擬態語（オノマトペ）のデーターも加わることにより母集団の情報が増え、その結果、未病サーバーが出力する情報は確度の高いものになる。患者の未病の度合いを出力できる段階となる。このような段階を未病サーバーの第2段階とする。
【００５４】
次の段階では、未病サーバーに対して、東洋医学に熟達した医師による指導情報を入力する。未病サーバーが導いた診断結果に対する補正を行う。また、試験的に東洋医学の治療現場に端末を設置することにより、東洋医学の診断結果を入力する。この段階の未病サーバーを第3段階とする。そして、第3段階のレベルに達した未病サーバーを、各地方の地域特有の病状の診断が必要とされる地域密着型の未病サーバーを提供する。この段階を第4段階とする。
【００５５】
最終段階の第5段階においては、未病サーバーは西洋医学の医師と東洋医学の医師、いずれの医療関係者も西洋と東洋の区別を無くしてその併用を目指して、患者にとって最適な治療が受けられるような医療支援サービスシステムとして利用する。図３に示すように、未病サーバーのサービス分野１２は、医療責任の無いデーターサービス分野と、医師と同程度の医療責任を負う医療サービス分野に大別される。
【００５６】
さらにこの段階では医師が処方する漢方薬の使用量なども集約できるため、その情報は国内の薬草栽培農家へ配信する。また、輸入しなければならない薬草に関しては、いかなる品質グレードの薬草でも輸入でき、国内で従来と同様の処方が行えるようにするために、薬草の薬効成分と乾燥重量との分析を進めて、漢方薬の処方重量の標準化を行う。
【００５７】
図４を用いて、未病サーバーと社会インフラであるインターネット、そしてインターネットに接続できる多機能携帯端末やテレビあるいはパソコン、そして介護支援を目的としたロボットなど、使用者からの情報の収集と使用者への情報の配信を可能とする電子機器との関係を示して未病サーバーサービスの全体像を説明する。
【００５８】
インターネット１３に接続される電子機器群１４は様々であり、その機器の利用者のニーズも様々である。したがって、インターネット上に流れる情報は莫大であるが、その中に一貫性のある情報を見いだすことは容易ではない。そこで、東洋医学の診断過程を踏襲するプログラム実行装置である未病サーバーシステム１５を本サービスの中心に据えることにより、インターネットを介して得られる情報に東洋医学で使用する「四診」に相当する情報を選択的に収集する。
【００５９】
東洋医学による診断過程を未病サーバーサービスの中心に据える理由は、人の健康状態の把握において西洋医学のような複雑な検査機器情報を基本的に必要とせず、東洋医学で治療する医師の肉眼による目視情報や触診による指から得られる脈拍情報、および、言葉や会話による情報をよりどころにして医療診断を行うことができるからである。この条件は、カメラ付き携帯端末や、カメラ付きテレビ、脈泊を検知するリストバンド型ウエアラブルコンピューター、さらには、テレビカメラ機能を搭載した介護ロボットなど、東洋医学で必要とする情報を得ることができる電子機器端末は既に社会インフラと呼べるまでに普及している。この環境を全て活用する。
【００６０】
図4に示すインターネットに接続できる電子機器群１４は、社会の様々の分野で活用されており、それぞれの分野において東洋医学の診断手法を視点にした利用者のニーズや課題を説明する。携帯端末のソフトウエアには健康管理を目的に作られたものが既に市販されている。健康管理という市場ニーズ１６を東洋医学の視点でとらえると、舌の画像や頬の画像、および利用者の日常の生活習慣情報を未病サーバーに送れば、東洋医学診断に基づく情報を得ることができる。舌の画像による健康診断、あるいは舌画像による占い、舌画像による口臭確認などの新たなソフトウエアを提供することが可能である。同時にこのソフトウエアは結果的に未病サーバーが情報処理に使用するデーターの母集団を増やす役割もある。
【００６１】
約800万人とされる団塊の世代が、つまり人口数としてまとまりのある年齢層が一斉に高齢化している。２０２５年にはこの年齢層が一斉に後期高齢者となるため、２０２５年問題と呼ばれる社会問題１７となっている。この年齢層が一斉に未病サーバーの利用者となるように、医療格差に悩む地方自治体が支援すれば、相当数の患者が在宅で健康状態を維持できるような解決策になると予想される。その結果、２０２５年問題で懸念されている、高齢者が一斉に病院に集中してしまうことで、病院機能に支障が生じるような最悪の事態を緩和することができる。
【００６２】
また、医療現場における課題１８として、東洋医学による治療は始まっているが、一般的に一人の患者にかかる診察時間は長く、また長期間に及ぶ場合が多い。外来における待ち時間の課題だけでなく、医療費負担の課題も含まれている。このような課題は、未病サーバーを医師が活用することで解決する部分もあると思われる。さらに、西洋医学の医師が、不十分な知識で処方する漢方薬による副作用事故も、未病サーバーにより未然に防ぐことも可能となる。高齢化社会で必要とされる家庭医は相当数不足していると予想されているが、その診断のアプローチは東洋医学と似ているところが多いため、家庭医の支援や家庭医の育成に未病サーバーを活用できると思われる。
【００６３】
高齢化社会を想定して介護施設や介護支援ロボットなど介護関連ニーズ１９が増えている。この介護関連ニーズに未病サーバーの適用例がいくつか考えられる。様々な種類の介護支援ロボットが提案されているが、中にはテレビカメラをあらかじめ搭載したロボットも開発されている。このようなカメラ付き介護支援ロボットのソフトウエアを利用すれば、カメラ付き携帯端末機器と同様に、患者の舌の色や頬の色などを計測して、インターネットを介して未病サーバーに送ることができる。また、介護施設で働くスタッフは、未病サーバーからの情報を利用することで患者に対して細やかな介護支援が可能になる。
【００６４】
我が国における東洋医学治療には薬草の課題２０がいくつか浮上している。そのひとつは東洋医学の医師により処方される漢方薬の価格である。漢方薬は薬草などから作られるが、その薬草をほとんど中国から輸入している。最近、その輸入価格は急速に上昇しており、電子機器で不可欠とされるレアメタルの輸入価格上昇とおなじ現象が生じている。大手製薬会社は企業規模を利用して、巨大な水耕栽培による植物工場を建設し、利用頻度の高い薬草の国内生産を始めている。
【００６５】
また、露地でしか生育しない薬草もあり、一部の地方では里山の休耕地を利用した薬草栽培を始めた農家もある。付加価値の高い農産物になると期待されているが、一方で、露地物であるが故にその薬効成分にばらつきがあり、農産物として育てたい農家と、その薬草を購入して漢方薬に調合する製薬会社との間に技術的な課題が残っている。つまり、農家は、これまでに中国から輸入された薬草の薬効成分比率と同じ薬草を、露地で栽培しなければならないのである。
【００６６】
露地で育てる農産物の薬効成分を一定にすることは容易ではない。この課題を放置すると、将来には輸出の可能性もある付加価値の高い農産物となる薬草を国内生産できないことになってしまう。そこで、未病サーバーの機能を活用してこの課題を解決する。漢方薬は、通常の処方では、乾燥した薬草の重量（グラム）で調合される。薬草の薬効成分の分子レベルの質量で調合されているわけでは無い。つまり、薬草の乾燥重量に対する薬効成分比率が異なると、伝統的に行われてきた漢方薬の処方が狂うのである。
【００６７】
この課題は容易に解決することができる。伝統的な処方における薬草の乾燥重量と薬効成分比率を化学的に分析し、その成分比率データーを未病サーバーに薬草データーとして集約することにより、医師は従来通り乾燥重量で処方箋を発行することができ、同時に、製薬会社は、ばらつきのある露地物の薬草でも、乾燥重量に対する薬効成分が従来の薬草と同一になるように、重量調整添加剤を混ぜることで、従来とおなじ機能の漢方薬を調合、製造することができる。
【００６８】
このように、薬草の薬効成分と乾燥重量を標準化することにより、農家は付加価値の高い薬草を安心して露地で栽培することができる。さらに、農家が未病サーバーに栽培している薬草のデーターを送ることにより、露地栽培の地域格差や、地域の気候に適した薬草などの情報を得ることも可能となり、未病サーバーは農業にも一石を投じると予想される。
【００６９】
乾燥薬草の薬効成分の標準化が達成されると、国内で生産した乾燥薬草を日本のもつ繊細で安全な品質管理基準を強みとして海外に輸出することも可能となる。未病サーバーは国内の製薬会社の輸出商品にも大きな影響を与えると予想される。
【００７０】
次に、在宅ヘルスケアのニーズ２１がある。高齢化社会をむかえ、多くの高齢者が自宅で健康で暮らしたいと望んでいる。そのためには、従来から行われてきた家庭の医学による治療の充実や高度化が必要となる。専門的なスキルを持つ家庭医はその最も優れた対策であるが、家庭医としての技術を身につけた医師はまだ少なく、国内の多くの高齢者がその恩恵を受けるにはまだ多くの時間を必要とする。
【００７１】
そこで、各家庭から未病サーバーを利用することにより、家庭の医学の高度化を行う。たとえば、家庭の医学と言えば、置き薬が普及している。高齢者の体調が崩れたとき、日常的に未病サーバーが管理している体調情報と比較して、適切な置き薬の指示を出すことが可能となる。置き薬をビジネスとして展開している企業は未病サーバーを活用することにより、各家庭の薬の種類や量を正確に管理することができ、急に不足する場合などは宅配業者を介して各家庭に薬を届けることが可能となる。
【００７２】
また、東洋医学では薬の機能を持つ料理、薬膳、を健康管理の一つに挙げている。高齢者は食材を購入するために宅配を活用しているが、この宅配業者が未病サーバーを活用することにより、薬膳献立に基づいた食材を各家庭まで届けるサービスが可能となる。スーパーマーケットまでの距離が遠いなどの理由で食材を自ら調達することが出来ない地方の山間部に住む高齢者にとって、薬膳料理を含む食事の管理や配達は、今後の在宅における健康管理に不可欠なサービスとなる。
【００７３】
図５にいわゆるコンビニエンスストアがインターネット上に運営している情報配信サイト２２における未病サーバーとの関わり方を説明する。既にコンビニエンスストアのサイトでは、今日の献立などの画面２３が用意されており、販売している食品のレシピなどが表示されている。この今日の献立の画面の中に、薬膳料理のコーナーを用意して、携帯端末からの舌の画像を送ることにより、今日の体調情報画面２４に合わせた今日の薬膳料理の献立画面２５などを表示する。未病サーバーは、利用者の舌の画像から、体調を判断することが出来るため、このような健康管理につながるサービスを提供することが可能となる。
【００７４】
図６に健康食品やサプリメント販売会社の情報配信サイト２６の例を示す。サプリメントの情報を表示する画面２７において、最近の体調を管理する画面２８を準備して、未病サーバーに接続する。既に登録されている利用者であれば、未病サーバーからの情報を基に、サプリメント効果や他のサプリメントなどの指導２９を行い、同時に利用者の体調の分析や体調の予測３０を表示する。
【００７５】
図７に健康相談情報を配信するサイト３１における未病サーバーの利用方法を説明する。このサイトの利用者は日常的に健康に関心があり、既に、個人の体調情報や生活習慣の情報は登録されているものとする。利用者は現在の症状を選択３２するか、あるいは、新たな症状を入力する。その際、症状をもっとも近いと感じる擬態語や擬音語による言葉で表現するように指導する。たとえば、きりきり痛む、ぴりぴりする、ずきずき痛むなどの症状のオノマトペ表現情報を登録３３する。このデーターは未病サーバーのオノマトペ処理のための情報となる。
【００７６】
症状の選択に応じて、未病サーバーは総合的に判断して今日の体調を解説３４する。また、蓄積されている情報を基にして利用者に今後起こり得る病気の予測や、同一の症状の推移の紹介３５を表示する。必要に応じて、自分で出来るお灸治療のツボ指導３６を表示することも出来る。
【００７７】
図８に介護施設や介護ヘルパーが運営する情報配信サイト３７における未病サーバーの利用例を説明する。このサイトの利用者には、介護が必要となった家族や介護支援スタッフなどが想定される。利用者により患者の症状の選択３８、あるいは症状の入力が行われると、未病サーバーは登録されているデーターを基に、今日の体調を解説４０する。介護施設における利用を想定し、介護支援スタッフに知らせる今日の注意事項４１を表示する。在宅介護の場合には、症状を踏まえた医師との相談レベル４２を指摘する。症状の入力や登録の際には、患者が症状を訴える言葉から、擬音語や擬態語によるオノマトペ表現情報を可能な限り入力３９して、未病サーバーに送る。介護施設における利用では、介護支援ロボット４３が活用されている場合もあるので、ロボットが収集した顔色画像や言葉の情報も未病サーバーに集約し、患者の状態の判断に反映させることが可能となる。
【００７８】
図９に食材の宅配会社のサイト４４における未病サーバーの利用例を説明する。食材の選択４５を行う画面において、利用者の体調情報を入力する画面４６を用意して未病サーバーと接続する。利用者が選択した食材リストと同時に、利用者の今日の体調の解説４７を行う。体調によっては、未病サーバーは利用者が選択した食材に追加した方が良いと思われる食材や、あるいは別の薬膳献立４８などを表示する。この宅配サービスでは基本的に人が配送車４９を使用して、直接食材を利用者に届けるので、人と人の接点が生まれる。そこで、この宅配会社と行政や医療機関が契約して、配送と同時に、配送者が在宅の高齢者の舌の色や顔色を撮影する情報収集サービス５０を行えば、携帯端末を使うことが出来ない高齢在宅者でも未病サーバーの機能を活用することが出来る。
【００７９】
図１０に配置薬会社の情報配信サイト５１における未病サーバーの利用例を説明する。利用者は配置薬の選択５２を行う際、同時に体調情報を入力する画面５３から利用者や家族の体調情報を入力する。選択した薬の説明５４と同時に、未病サーバーが判断した利用者の今日の体調情報５５を表示する。体調と選択した薬が適切であれば良いが、そうでない場合は別の薬の選択を指導することも出来る。また、適切な薬が配置されていないなど緊急を要する場合には宅配業者を通じて速やかに適切な薬が配送５６される。
【００８０】
次に、図１１を用いて行政が未病サーバーを利用する例を説明する。未病サーバーに蓄積されるデーターは莫大な人数の健康状態を集めた、いわゆるビッグデーターである。行政は今後の高齢化社会で予想される課題に対して、未病サーバーを使うことで、たとえば、介護老人ホームの入居人数予測や、病院のベッド数予測、また、介護ヘルパーの人数予測など介護や医療に関連した種々の予測情報を得ることができる。さらに、上記の民間企業が個人の情報も未病サーバーに記録しているので、行政として個人に対するきめ細かい介護／医療サービスを提供することも出来る。このサービスは、離島や過疎地域など医師がいない地域の住民にとって必要な行政サービスの筈である。
【００８１】
図１２を用いて、未病サーバーに登録しようとする個人が舌や頬の色を撮影する際に使用する台紙５７の一例を示す。個人の顔５８全体を含む画像が撮影されると、肖像権に抵触するため、情報の扱いが困難になる。そこで、顔の一部である舌の色５９、および頬の色６０が東洋医学では必要な画像情報であるため、顔を隠して撮影できる台紙５７を準備する。台紙５７は色補正に使用するため白色である。また、利用者は台紙の表面に性別や年齢、撮影日などの簡単な利用者情報６１も記入してから、カメラ付き携帯端末やカメラ付きテレビで撮影して、その情報を未病サーバーに送る。台紙には自分で自分の舌の撮影を行う場合を考慮して、のぞき窓としての隙間６２を用意する。また、台紙を使用しない舌の撮影手段として特許文献１に記載の方法もある。
【産業上の利用可能性】
【００８２】
本発明は、西洋医学中心に構築された医療システムの弱点を補うものであり、患者にとって最も適切な医療を受けられる新たな医療システムを可能にするものである。
【００８３】
本発明がもたらす大量の高齢者の健康状態情報は、２０２５年問題の対策を準備する上で有益であり、特に地方行政における医療問題の解決の糸口となる可能性が高くその社会的な効果は大きい。
【００８４】
本発明による、インターネットに接続された未病サーバーは、単に健康管理情報の提供にとどまらず、宅配産業、製薬産業、農業、介護ロボット産業など種々の産業に波及すると予想される。
【００８５】
さらに、本発明による東洋医学に対する認識が社会全体として見直され、東洋医学による生活習慣病の治療が普及し、未病状態の人口が増えることにより、社会的な医療費支出が減少すれば、その予算は農業や他の産業に投資できるためその社会的効果はきわめて大きい。
【００８６】
また、本発明による乾燥薬草の薬効成分の標準化データーは、国内の薬草栽培を可能にし、全国の山間地などに放置されている休耕地を活用する新たな薬草農業の引き金になる。今後は、薬草の育成から乾燥まで一貫した品質管理の下で製造された薬草や漢方薬は、日本ブランドとして付加価値の高い輸出商品となる。
【図１】
2016018224.tif 000003
【図２】
2016018224.tif 000004
【図３】
2016018224.tif 000005
【図４】
2016018224.tif 000006
【図５】
2016018224.tif 000007
【図６】
2016018224.tif 000008
【図７】
2016018224.tif 000009
【図８】
2016018224.tif 000010
【図９】
2016018224.tif 000011
【図１０】
2016018224.tif 000012
【図１１】
2016018224.tif 000013
【図１２】
2016018224.tif 000014